(57)【要約】【課題】スクロール操作の開始位置や表示内容のスクロール量を把握しやすくする表示装置、表示方法及びプログラムを提供する。【解決手段】表示部と、表示部に表示された表示内容のスクロールを指示する操作を検出する検出部と、検出部により操作が検出されると、表示部に表示された表示内容をスクロールさせる表示制御部と、を備える。表示制御部は、操作の開始位置の表示内容に対する相対位置に対応する位置に、第１識別表示を行うＳ７。表示部を制御することで、スクロール操作の終了位置まで行及び第１識別表示が移動するように表示内容をスクロールさせるＳ８。【選択図】図３
2017182072.tif 000002
【特許請求の範囲】
【請求項１】
入力表示面を有し、前記入力表示面への接触による操作を受け付ける入力表示部と、
前記入力表示部の前記入力表示面への接触開始に対応するタッチオン操作と、前記タッチオン操作が行われた位置から前記入力面が接触されながらその接触位置が前記入力面上を移動するスライド操作と、前記スライド操作後の前記入力面への接触終了に対応するタッチオフ操作とを含むスクロール操作を検出する検出部と、
前記検出部により前記スクロール操作が検出されると、前記スライド操作中は前記入力表示部の表示を更新せずに、前記スライド操作の終了時以降に、前記入力表示部の前記タッチオン操作が行われた位置に対応する位置にそのタッチオン操作時に表示していた内容を、前記タッチオフ操作が行われた位置に対応する位置に表示するとともに、第１識別表示体を前記タッチオフ操作が行われた位置に対応する位置に表示する表示制御部と、
を備えることを特徴とする表示装置。
【請求項２】
請求項１に記載の表示装置において、
前記表示制御部は、前記検出部により前記タッチオン操作が検出された時に、前記第１識別表示を行うことを特徴とする表示装置。
【請求項３】
請求項１又は２に記載の表示装置において、
前記表示制御部は、前記検出により前記タッチオフ操作が検出された時以降に、前記入力表示部の前記タッチオン操作が行われた位置に対応する位置に、前記第１識別表示に加えて、前記第１識別表示とは異なる第２識別表示を行うことを特徴とする表示装置。
【請求項４】
請求項１〜３のいずれか一項に記載の表示装置において、
前記表示制御部は、前記入力表示部に文章を表示する場合、前記入力表示部の前記タッチオン操作が行われた位置に対応する位置にそのタッチオン操作時に表示していた前記文章中の行よりも前段部分の文字色と背景色とのコントラストを、当該行以降の後段部分の文字色と背景色のコントラストと異なるように変更することで、前記第１識別表示を行うことを特徴とする表示装置。
【請求項５】
入力表示面を有し、前記入力表示面への接触による操作を受け付ける入力表示部の前記入力表示面への接触開始に対応するタッチオン操作と、前記タッチオン操作が行われた位置から前記入力面が接触されながらその接触位置が前記入力面上を移動するスライド操作と、前記スライド操作後の前記入力面への接触終了に対応するタッチオフ操作とを含むスクロール操作を検出し、
前記検出により前記スクロール操作が検出されると、前記スライド操作中は前記入力表示部の表示を更新せずに、前記スライド操作の終了時以降に、前記入力表示部の前記タッチオン操作が行われた位置に対応する位置にそのタッチオン操作時に表示していた内容を、前記タッチオフ操作が行われた位置に対応する位置に表示するとともに、第１識別表示体を前記タッチオフ操作が行われた位置に対応する位置に表示することを含むことを特徴とする表示方法。
【請求項６】
請求項５に記載の表示方法において、
前記表示制御は、前記検出により前記タッチオン操作が検出された時に、前記第１識別表示を行うことを含むことを特徴とする表示方法。
【請求項７】
請求項５又は６に記載の表示方法において、
前記表示制御は、前記検出により前記タッチオフ操作が検出された時以降に、前記入力表示部の前記タッチオン操作が行われた位置に対応する位置に、前記第１識別表示に加えて、前記第１識別表示とは異なる第２識別表示を行うことを含むことを特徴とする表示方法。
【請求項８】
請求項５〜７のいずれか一項に記載の表示方法において、
前記表示制御は、前記入力表示部に文章を表示する場合、前記入力表示部の前記タッチオン操作が行われた位置に対応する位置にそのタッチオン操作時に表示していた前記文章中の行よりも前段部分の文字色と背景色とのコントラストを、当該行以降の後段部分の文字色と背景色のコントラストと異なるように変更することで、前記第１識別表示を行うことを含むことを特徴とする表示方法。
【請求項９】
入力表示面を有し、前記入力表示面への接触による操作を受け付ける入力表示部を含む表示装置の制御部に、
前記入力表示部の前記入力表示面への接触開始に対応するタッチオン操作と、前記タッチオン操作が行われた位置から前記入力面が接触されながらその接触位置が前記入力面上を移動するスライド操作と、前記スライド操作後の前記入力面への接触終了に対応するタッチオフ操作とを含むスクロール操作を検出させ、
前記検出により前記スクロール操作が検出されると、前記スライド操作中は前記入力表示部の表示を更新せずに、前記スライド操作の終了時以降に、前記入力表示部の前記タッチオン操作が行われた位置に対応する位置にそのタッチオン操作時に表示していた内容を、前記タッチオフ操作が行われた位置に対応する位置に表示するとともに、第１識別表示体を前記タッチオフ操作が行われた位置に対応する位置に表示する表示制御を行わせることを含むことを特徴とする表示プログラム。
【請求項１０】
請求項９に記載の表示プログラムにおいて、
前記表示制御は、前記検出により前記タッチオン操作が検出された時に、前記第１識別表示を行うことを含むことを特徴とする表示プログラム。
【請求項１１】
請求項９又は１０に記載の表示プログラムにおいて、
前記表示制御は、前記検出により前記タッチオフ操作が検出された時以降に、前記入力表示部の前記タッチオン操作が行われた位置に対応する位置に、前記第１識別表示に加えて、前記第１識別表示とは異なる第２識別表示を行うことを含むことを特徴とする表示プログラム。
【請求項１２】
請求項９〜１１のいずれか一項に記載の表示プログラムにおいて、
前記表示制御は、前記入力表示部に文章を表示する場合、前記入力表示部の前記タッチオン操作が行われた位置に対応する位置にそのタッチオン操作時に表示していた前記文章中の行よりも前段部分の文字色と背景色とのコントラストを、当該行以降の後段部分の文字色と背景色のコントラストと異なるように変更することで、前記第１識別表示を行うことを含むことを特徴とする表示プログラム。
【発明の詳細な説明】
【技術分野】
【０００１】
本発明は、表示装置、表示方法及び表示プログラムに関する。
【背景技術】
【０００２】
従来より、電子ペーパーと呼ばれる表示装置が知られている。このディスプレイは自らは発光しない非発光型のディスプレイである。
【先行技術文献】
【特許文献】
【０００３】
【特許文献１】特開２０１３−２９８４６号公報
【発明の概要】
【発明が解決しようとする課題】
【０００４】
しかしながら、一般的な電子ペーパーでは、画面切替の応答性が悪いためにスクロール操作に追従して画面に表示された表示内容をスムーズに変動させることは困難である。また、電子ペーパーに限らず他の表示装置であっても、ユーザは、表示内容の読み終えた位置を把握した状態でスクロール操作を行うことになるが、スクロール操作終了後に、読み終えた位置を見落としてしまう場合があった。
【０００５】
このため、本発明の課題は、スクロール操作の開始位置や表示内容のスクロール量を把握しやすくすることである。
【課題を解決するための手段】
【０００６】
本発明の表示装置は、入力表示面を有し、前記入力表示面への接触による操作を受け付ける入力表示部と、前記入力表示部の前記入力表示面への接触開始に対応するタッチオン操作と、前記タッチオン操作が行われた位置から前記入力面が接触されながらその接触位置が前記入力面上を移動するスライド操作と、前記スライド操作後の前記入力面への接触終了に対応するタッチオフ操作とを含むスクロール操作を検出する検出部と、前記検出部により前記スクロール操作が検出されると、前記スライド操作中は前記入力表示部の表示を更新せずに、前記スライド操作の終了時以降に、前記入力表示部の前記タッチオン操作が行われた位置に対応する位置にそのタッチオン操作時に表示していた内容を、前記タッチオフ操作が行われた位置に対応する位置に表示するとともに、第１識別表示体を前記タッチオフ操作が行われた位置に対応する位置に表示する表示制御部と、を備えることを特徴とする。
【０００７】
本発明の表示方法は、入力表示面を有し、前記入力表示面への接触による操作を受け付ける入力表示部の前記入力表示面への接触開始に対応するタッチオン操作と、前記タッチオン操作が行われた位置から前記入力面が接触されながらその接触位置が前記入力面上を移動するスライド操作と、前記スライド操作後の前記入力面への接触終了に対応するタッチオフ操作とを含むスクロール操作を検出し、前記検出により前記スクロール操作が検出されると、前記スライド操作中は前記入力表示部の表示を更新せずに、前記スライド操作の終了時以降に、前記入力表示部の前記タッチオン操作が行われた位置に対応する位置にそのタッチオン操作時に表示していた内容を、前記タッチオフ操作が行われた位置に対応する位置に表示するとともに、第１識別表示体を前記タッチオフ操作が行われた位置に対応する位置に表示することを含むことを特徴とする。
【０００８】
本発明の表示プログラムは、入力表示面を有し、前記入力表示面への接触による操作を受け付ける入力表示部を含む表示装置の制御部に、前記入力表示部の前記入力表示面への接触開始に対応するタッチオン操作と、前記タッチオン操作が行われた位置から前記入力面が接触されながらその接触位置が前記入力面上を移動するスライド操作と、前記スライド操作後の前記入力面への接触終了に対応するタッチオフ操作とを含むスクロール操作を検出させ、前記検出により前記スクロール操作が検出されると、前記スライド操作中は前記入力表示部の表示を更新せずに、前記スライド操作の終了時以降に、前記入力表示部の前記タッチオン操作が行われた位置に対応する位置にそのタッチオン操作時に表示していた内容を、前記タッチオフ操作が行われた位置に対応する位置に表示するとともに、第１識別表示体を前記タッチオフ操作が行われた位置に対応する位置に表示する表示制御を行わせることを含むことを特徴とする。
【発明の効果】
【０００９】
本発明によれば、スクロール操作の開始位置や表示内容のスクロール量を把握しやすくすることができる。
【図面の簡単な説明】
【００１０】
【図１】第１実施形態の電子書籍リーダーの概略構成を示す平面図である。
【図２】第１実施形態の電子書籍リーダーの機能構成を示すブロック図である。
【図３】第１実施形態の電子書籍表示処理の流れを示すフローチャートである。
【図４】第１実施形態の電子書籍表示処理時における表示内容を示す説明図である。
【図５】第１実施形態の電子書籍表示処理時における表示内容を示す説明図である。
【図６】第１実施形態の電子書籍表示処理時における表示内容を示す説明図である。
【図７】第１実施形態の電子書籍表示処理時における表示内容を示す説明図である。
【図８】第１実施形態の電子書籍表示処理時における表示内容を示す説明図である。
【図９】第１実施形態の電子書籍表示処理時における表示内容を示す説明図である。
【図１０】第１実施形態の電子書籍表示処理時における表示内容を示す説明図である。
【図１１】第２実施形態のパソコンの概略構成を示す平面図である。
【図１２】第２実施形態のパソコンの機能構成を示すブロック図である。
【図１３】第２実施形態の電子書籍表示処理時における表示内容を示す説明図である。
【図１４】第２実施形態の電子書籍表示処理時における表示内容を示す説明図である。
【図１５】第２実施形態の電子書籍表示処理時における表示内容を示す説明図である。
【図１６】第２実施形態の電子書籍表示処理時における表示内容を示す説明図である。
【発明を実施するための形態】
【００１１】
以下、添付図面を参照して、本発明に係る表示装置を電子書籍リーダーに適用した場合の第１実施形態の一例を詳細に説明する。ただし、発明の範囲は、図示例に限定されない。
【００１２】
図１は、電子書籍リーダー１の平面図である。
図１に示すように、電子書籍リーダー１は、表示部２と、タッチパネル３と、キー群４とを備えている。
表示部２は、ユーザによるキー群４やタッチパネル３の入力面への操作に応じた各種データ（電子書籍コンテンツデータ）を表示する部分であり、いわゆる電子ペーパー等によって構成されている。
タッチパネル３は、表示部２に重ねられており、ユーザによりタッチされた位置に対応する信号を出力するようになっている。
【００１３】
キー群４は、ユーザから電子書籍リーダー１を操作するための操作を受ける各種キーを有している。具体的には、キー群４は、メニューボタン４ａと、右めくりボタン４ｂと、左めくりボタン４ｃとを有している。
メニューボタン４ａは、メニュー画面の表示／非表示を切り替える際に使用されるキーである。メニュー画面には、電子書籍コンテンツデータの選択欄や、電子書籍コンテンツデータの表示終了欄などが設けられている。
右めくりボタン４ｂは、表示部２に表示された電子書籍のページを右側に向けてめくる際に使用されるキーである。
左めくりボタン４ｃは、表示部２に表示された電子書籍のページを左側に向けてめくる際に使用されるキーである。
【００１４】
続いて、電子書籍リーダー１の内部構成について説明する。図２は、電子書籍リーダー１の内部構成を示すブロック図である。
【００１５】
この図２に示すように、電子書籍リーダー１は、表示部２、入力部３０、記録媒体読取部６０、ＣＰＵ（Central Processing Unit）２０、記憶部８０、通信部９０を備え、各部はバスで相互にデータ通信可能に接続されて構成されている。
【００１６】
ＣＰＵ２０は、表示部２に対して表示制御信号を送信することにより、表示部２に各種情報を表示させる表示制御部２１として機能する。
入力部３０は、上述のキー群４やタッチパネル３を備えており、押下されたキーやタッチパネル３の入力面内の位置に対応する信号をＣＰＵ２０に出力するようになっている。
記録媒体読取部６０は、図示しないカードスロットに装着された外部情報記憶媒体１２ａから情報を読み出したり、当該外部情報記憶媒体１２ａに情報を記録したりするようになっているここで、外部情報記憶媒体１２ａには、電子書籍コンテンツデータ等が格納されるようになっている。
【００１７】
ＣＰＵ２０は、入力される指示に応じて、記憶部８０に予め格納されたプログラムに基づいた処理を実行し、各機能部への指示やデータの転送等を行い、電子書籍リーダー１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に保存する記憶制御部として機能するとともに、当該処理結果を表示部２に適宜出力させる表示制御部２１として機能する。
【００１８】
記憶部８０は、電子書籍リーダー１の各種機能を実現するためのプログラムやデータを記憶するとともに、ＣＰＵ２０の作業領域として機能するメモリである。本第１実施形態においては、記憶部８０は、本発明に係るプログラムとしての電子書籍表示プログラム８１と、電子書籍データベース群８２とを記憶している。
【００１９】
電子書籍表示プログラム８１は、後述のスクロール処理（図３参照）をＣＰＵ２０に実行させることにより、ＣＰＵ２０を表示制御部２１として機能させるためのプログラムである。
電子書籍データベース群８２は、種類の異なる複数の電子書籍コンテンツデータ８２１を備えている。電子書籍コンテンツデータ８２１は、本を電子データ化したものであり、文章データや画像データ等が含まれている。
【００２０】
通信部９０は、無線或いは有線によって例えばインターネットＮなどの回線を通じて外部のサーバ装置１００と通信自在になっており、サーバ装置１００から情報を読み取ったり、サーバ装置１００に情報を送信したりするようになっている。
【００２１】
続いて、電子書籍リーダー１の動作について、図面を参照しつつ説明する。
【００２２】
図３は、ＣＰＵ２０が表示制御部２１として機能する際に、電子書籍表示プログラムを読み出して実行する電子書籍表示処理の流れを示すフローチャートである。
【００２３】
ＣＰＵ２０によって、電子書籍表示プログラム８１が実行されると、電子書籍表示処理が開始する。
ステップＳ１では、ＣＰＵ２０は、ユーザにより選択された電子書籍コンテンツデータ８２１を電子書籍データベース群８２から読み出し、表示部２に表示する。図４は表示部２に表示された電子書籍の一部を示す説明図である。図４に示すように、表示部２には、文字列内の位置を示すマーク、所謂文字カーソルは表示されないが、必要があれば、そのような文字カーソルが表示されていてもよい。
【００２４】
ステップＳ２では、電子書籍コンテンツデータの表示終了指示が入力されたか否かを判断し、入力された場合には電子書籍表示処理を終了し、入力されていない場合にはステップＳ３に移行する。
【００２５】
ステップＳ３では、ＣＰＵ２０は、右めくりボタン４ｂもしくは左めくりボタン４ｃが操作されることによるページめくり操作が行われたか否かを判断し、ページめくり操作が行われた場合にはステップＳ４に移行し、ページめくり操作が行われていない場合にはステップＳ５に移行する。
【００２６】
ステップＳ４では、ＣＰＵ２０は表示部２を制御して、当該表示部２に表示された電子書籍が１ページ分だけめくられるように表示内容を切り替える。具体的には、ステップＳ３で右めくりボタン４ｂが操作された場合には電子書籍のページを右側に向けてめくり、ステップＳ３で左めくりボタン４ｃが操作された場合には電子書籍のページを左側に向けてめくる。
【００２７】
ステップＳ５では、ＣＰＵ２０は、スクロール操作があったか否かを判断し、スクロール操作があった場合にはステップＳ６に移行し、スクロール操作がなかった場合にはステップＳ２に移行する。
ここで、スクロール操作とは、表示部２に表示された表示内容を進行又は退行させるための操作である。具体的には、図５に示すように、タッチパネル３の入力面にスタイラスＰ（若しくは指）を接触させ（タッチオン操作）、接触させたままでタッチパネル３上を所望量だけスライドさせ（スライド操作）、スタイラスＰをタッチパネル３の入力面から離間させる（タッチオフ操作）一連の操作である。ＣＰＵ２０は既定の時間間隔でタッチパネル３からの入力信号を取得しており、取得した入力信号に基づいて、タッチパネル３への入力状態（入力面への接触の有無と接触位置の座標）を検出する。また、ＣＰＵ２０は、検出した入力状態の経時的変化に基づいて、タッチオン、スライド、タッチオフの各操作を検出する。これにより、ＣＰＵ２０は検出部２２として機能する。
【００２８】
図５では、矢印Ｙ１の基端部がスクロール操作の開始位置Ｙ２、即ち、タッチパネル３入力面においてタッチオン操作を行った位置であり、先端部がスクロール操作の終了位置Ｙ３、即ち、タッチパネル３入力面においてタッチオフ操作を行った位置である。別の言い方をすると、図５に示すタッチパネル３の矩形状の入力面の左上の頂点を原点とし、図５の左右方向をＸ軸、上下方向をＹ軸としたＸＹ平面において、スクロール操作の開始時にタッチオン操作を行ったタッチパネル３の入力面上の位置が開始位置Ｙ２（座標（Ｘ１，Ｙ１））であり、スクロール操作の終了時にタッチオフ操作を行ったタッチパネル３の入力面上の位置が終了位置Ｙ３（座標（Ｘ２，Ｙ２））である。なお、前述の文字カーソルが表示されている場合において、開始位置Ｙ２は、スクロール操作の度に、当該文字カーソルの表示位置とは無関係にユーザが任意で指定する位置である。
【００２９】
ステップＳ６では、ＣＰＵ２０は、タッチパネル３からの入力信号に基づいて、上述の開始位置Ｙ２、即ち、スクロール操作の終了時にタッチオン操作が行われたタッチパネル３の入力面上の位置のＸＹ座標を検出する。これにより、ＣＰＵ２０は検出部２２として機能する。続けて、ＣＰＵ２０による処理は、ステップＳ７へ移行する。
【００３０】
ステップＳ７では、ＣＰＵ２０は、当該開始位置Ｙ２に表示されている文章の行Ｌ１を特定し、目印Ｍ１を表示する行Ｌ１の両端部分の位置を決定する。次に、ＣＰＵ２０は表示部２を制御することで、図５に示すように、表示内容のスクロールの開始前に、上記決定した行Ｌ１の両端部分の位置に、当該行Ｌ１を目立たせる目印（第１識別表示）Ｍ１を付加する。この識別表示は、スクロール操作の開始位置Ｙ２の表示内容に対する相対位置に対応する位置に施される。これにより、ＣＰＵ２０は表示制御部２１として機能する。なお、この識別表示を行ったときには、表示内容はまだスクロールされていないので、図５は、図４と比べると、目印Ｍ１が行Ｌ１の両端部分に追加された点だけが異なる。
【００３１】
ステップＳ８では、ＣＰＵ２０は表示部２を制御することで、図６に示すように、スクロール操作の終了位置Ｙ３まで行Ｌ１及び目印Ｍ１が移動するように表示内容をスクロールさせる。上述の通り、この識別表示は、スクロール操作の開始位置Ｙ２の表示内容に対する相対位置に対応する位置に施されるので、目印Ｍ１の表示内容に対する相対位置は変わらない。従って、目印Ｍ１は、表示内容のスクロール終了後も、行Ｌ１の両端部分に表示される。これにより、ＣＰＵ２０は表示制御部２１として機能する。なお、表示内容のスクロールとは、ＣＰＵ２０がスライド操作の開始を検出後、当該スライド操作に基づいて、スライド操作開始前（タッチオン操作時）に表示部２に表示されていた表示内容を、表示更新のタイミングにおけるスライド量に対応する量、かつ、スライド方向に対応する方向へずらして、表示部２に更新表示させることである。この更新表示は、ＣＰＵ２０がスライド操作の開始を検出後、任意のタイミングで行われてよい。従って、ＣＰＵ２０は、スクロール操作の終了後、即ち、タッチオフ操作の検出時又は検出後に表示更新することで、表示内容のスクロールを行ってもよいし、スクロール操作の途中に、即ち、当該スクロール操作のスライド操作中（タッチオフ操作の検出前）に表示更新することで、表示内容のスクロールを行ってもよい。
【００３２】
ステップＳ９では、ＣＰＵ２０は識別表示を開始してから予め定めた時間経過したか否かを検出し、これにより、ＣＰＵ２０は検出部２２として機能する。予め定めた時間が経過していないことが検出部２２によって検出された場合には、ＣＰＵ２０はそのままの状態を維持し、予め定めた時間が経過したことが検出された場合にはＣＰＵ２０による制御はステップＳ１０に移行する。
【００３３】
ステップＳ１０では、ＣＰＵ２０は表示部２を制御して、図７に示すように目印Ｍ１を消去することで、識別表示を非表示にしてから、ステップＳ２に移行する。
ＣＰＵ２０は、以上に述べた各ステップを実行して、表示部２を制御することにより、表示制御部２１として機能する。
【００３４】
本第１実施形態の電子書籍リーダー１に適用される電子ペーパーのように、スクロール操作に対する表示更新の応答性が低い表示装置は、スライド操作中は表示が更新されないものがある。このような表示装置では、表示内容のスクロールとして、図５のような表示内容が更新されると、次に、図６のような表示にいきなり変化してしまうため、ユーザにとっては、スクロール操作の開始位置や表示内容のスクロール量がわかりづらい問題があった。
【００３５】
しかしながら、本第１実施形態によれば、ＣＰＵ２０によりスクロール操作が検出されると、スクロール操作の開始位置の表示内容に対する相対位置に対応する位置に、目印Ｍ１を表示するので、スクロール操作の開始位置や表示内容のスクロール量を把握しやすくなる。
【００３６】
また、表示部２に文章が表示された場合、スクロール操作の開始位置Ｙ２に対応する文章中の行Ｌ１に識別表示が施されるので、スクロール前に見終えていた位置を行単位でユーザに把握させることができる。
また、開始位置Ｙ２に対応する文章中の行Ｌ１に目印Ｍ１を付加しているので、簡単な処理で行Ｌ１を目立たせることができる。
【００３７】
また、スクロール操作が終了した場合に、開始位置Ｙ２に対応する表示内容の位置に識別表示が施されるので、スクロール操作中に識別表示を行う場合と比しても識別表示による画面書き換え回数を少なくすることができる。具体的に、スクロール操作中に識別表示を行う場合には、最初のタッチ操作が行われたときに識別表示が行われ、さらにスクロール後にも識別表示が行われるため、画面書き換え回数は二回となる。他方、本第１実施形態のようにスクロール操作の終了後に識別表示を行う場合には、そのときだけ識別表示が行われるため、画面書き換え回数は一回となる。画面書き換え回数が少ないとそれだけ消費電力を抑制することが可能である。
【００３８】
また、ＣＰＵ２０（検出部２２）により、識別表示を開始してから予め定めた時間が経過したことが検出された場合には、表示制御部２１により識別表示が非表示にされるので、識別表示が継続されなくなり、当該識別表示が目障りになることを防止することができる。
なお、表示制御部２１により識別表示を非表示にする処理は、予め定めた操作が検出部２２により検出された場合に行われてもよい。予め定めた操作としては、電子書籍リーダー１の入力部４に含まれる物理ボタンを押下する操作であってもよいし、または、表示部２に表示されたソフトウェアにより実現される仮想ボタンに対応するタッチパネル３上の位置へのタッチ操作であってもよい。
【００３９】
なお、本発明を適用可能な実施形態は、上述した実施形態に限定されることなく、本発明の趣旨を逸脱しない範囲で適宜変更可能である。
【００４０】
上記第１実施形態では、表示内容のスクロールの開始前に識別表示を施し（ステップＳ７）、表示内容のスクロールの終了後にも識別表示を施す（ステップＳ８）ようにしたが、これに限らず、スクロールの開始前は識別表示を施さずに、スクロールの終了後に初めて識別表示を施すようにしてもよい。ＣＰＵ２０は、表示制御部２１として、表示部２を制御することで、少なくともスクロールの終了後に、目印Ｍ１を表示部２に表示させてもよい。これにより、上述の第１実施形態と同様、スクロール操作の開始位置や表示内容のスクロール量を把握しやすくなる。
【００４１】
また、上記第１実施形態では、横書きの文章を上下方向にスクロールする場合を例示して説明したが、縦書きの文章を左右方向にスクロールさせる場合についても本発明の構成は適用可能である。
【００４２】
また、上記第１実施形態では、識別表示として行Ｌ１に対して目印Ｍ１を付与した場合を例示して説明したが、行Ｌ１が他の部分と明確に判別が付くのであれば識別表示は如何様であってもよい。例えば、図８に示すように、スクロール操作の開始位置Ｙ２に対応する行Ｌ１に対してマーカＭ２を施すことが挙げられる。マーカＭ２は、図８のように行Ｌ１全体又はその一部の背景色を変更する形態であってもよいし、行Ｌ１全体又はその一部の文字色及び背景色をともに変更する形態であってもよいし、行Ｌ１全体又はその一部の文字列を太字に変更する形態であってもよいし、さらには、行Ｌ１全体又はその一部の文字列の文字色と背景色とのコントラストを変更する（例えば、コントラストを大きくする）形態であってもよい。これらの形態は適宜組み合わせ可能であるし、視覚的効果が得られる形態であれば、ここに例示した形態以外であってもよいことは言うまでもない。
【００４３】
さらに、開始位置Ｙ２に対応する行Ｌ１よりも前段部分、即ち、行Ｌ１の直前の行を含めて当該直前の行よりも前の部分を既読部分と判定するとともに、行Ｌ１よりも後段部分、即ち、行Ｌ１を含めて当該行Ｌ１よりも後の部分を未読部分と判定し、既読部分を、未読部分とは視覚的に異ならせることにより、識別表示するようにしてもよい。具体的には、図９に示すように前段部分Ｌ３の文字色と背景色とのコントラストを、後段部分Ｌ４の文字色と背景色とのコントラストと異なるように変更する（例えば、前段部分Ｌ３のコントラストを後段部分Ｌ４のコントラストよりも小さくなるように変更する）表示してよい。
【００４４】
また、図１０に示すように、ＣＰＵ２０は表示制御部２１として表示部２を制御して、表示内容のスクロールの終了後に、スクロール操作の開始位置Ｙ２の表示部２に対する相対位置に対応する位置に識別表示を施してもよい。具体的には、図１０に示すように、表示内容のスクロールの終了後に、開始位置Ｙ２に表示された文章の行Ｌ２の両端部分に、当該行Ｌ２を目立たせる目印（第２識別表示）Ｍ３を付加してよい。この目印Ｍ３は、前述の目印Ｍ１と同じ形態であってもよいし、異なる形態であってもよい。これにより、上述の第１実施形態と同様、スクロール操作の開始位置や表示内容のスクロール量を把握しやすくなる。
【００４５】
また、上記第１実施形態では、目印Ｍ１及びＭ２の少なくとも一つを、スクロールの開始前とスクロールの終了後との両方で表示したが、これに限らず、目印Ｍ１及びＭ２の少なくとも一つは、スクロールの開始前には表示せずにスクロールの終了後だけに表示してもよいし、スクロールの開始後、任意のタイミングで表示してもよい。特に、表示部２が、表示変更操作に対する応答性が高い表示装置である場合には、スクロールの終了後のみならず、スクロールの開始後、即ち、スクロール中からスクロール終了後の任意のタイミングに、目印Ｍ１及びＭ２の少なくとも一つを施すことで、スクロール操作の開始位置や表示内容のスクロール量を把握しやすくなる。
【００４６】
さらには、上記第１実施形態では、目印Ｍ３を、スクロールの終了後に表示したが、これに限らず、目印Ｍ３は、スクロールの開始後、任意のタイミングで表示してもよい。これによっても、スクロール操作の開始位置や表示内容のスクロール量を把握しやすくなる。
【００４７】
また、何れの場合においても、開始位置Ｙ２ではなく終了位置Ｙ３を基準に同様の処理を実行してもよい。
また、スクロール操作について、タッチパネル３をスタイラスＰ（若しくは指）でタッチ操作し、タッチしたままでタッチパネル３上を、表示内容を進めたい方向にスタイラスＰをスライドさせ、所望の送り量となる位置でスタイラスＰをタッチパネル３から離す操作であると説明したが、これに限らず、タッチパネル３上をスタイラスＰ（若しくは指）で軽くはらうような所謂フリック操作であってもよい。なお、フリック操作に基づいて表示内容をスクロールさせる場合、終了位置Ｙ３は、フリック操作においてタッチパネル３の入力面上をスタイラスＰが移動した量や当該移動のスピード等に応じて適宜決定される位置である。
【００４８】
また、上記第１実施形態では、表示部２が電子ペーパーである場合を例示して説明したが、表示部はＬＣＤ（Liquid Crystal Display）やＥＬＤ（Electronic Luminescence Display）等によって構成されていてもよい。
また、本発明に係る表示装置を電子書籍リーダー１として説明したが、本発明が適用可能なものは、このような製品に限定されず、携帯電話、パソコン、ＰＤＡ（Personal Digital Assistant）、ゲーム機などの電子機器全般に適用可能である。
【００４９】
以下では、本発明をパソコンに適用した場合の第２実施形態について、図１１〜図１６を用いて説明する。図１１は第２実施形態のパソコン１０の構成を示す概略構成図であり、図１２は第２実施形態のパソコン１０の機能構成を示すブロック図であり、図１３〜図１６は、第２実施形態の電子書籍表示処理時における表示内容を示す説明図である。本第２実施形態において、上述の電子書籍リーダー１と同様の構成については同一の符号を付すとともに説明を省略し、異なる部分を中心に説明する。なお、電子書籍表示処理の流れを示すフローチャートは図３と同様であるので、図３を適宜参照しながら説明する。
【００５０】
図１１及び図１２に示すように、本第２実施形態のパソコン１０の入力部３０は、キーボード４０やマウス３００を備えている。また、図１２に示すＣＰＵ２０、記録媒体読取部６０、記憶部８０、通信部９０は、図１１のパソコン本体部１１の筐体内に設置されている。図１２に示すように、入力部３０は、押下されたキーや、マウス３００のポインタ位置やマウス３００の移動、クリック、ホイール回転等の各種操作に対応する入力信号をＣＰＵ２０に出力するようになっている。ＣＰＵ２０は、入力部３０からの入力信号に基づいて、ＬＣＤディスプレイ等の表示部２に対して表示制御信号を送信することにより、表示部２に各種情報を表示させる表示制御部２１として機能する。
【００５１】
図３のステップＳ１において、表示部２は表示制御部２１によって制御されることにより、図４と同様の表示を行う。この場合、マウス３００のマウスポインタＭＰは、電子書籍のウィンドウの外側に配置されているので、不図示である。
【００５２】
図１３は、図３のステップＳ５において、スクロール操作があったか否かを判断するときの表示部２に表示された表示内容を示す図である。まず、スクロール操作が行われる前に、図１３のように、マウスポインタＭＰが、ユーザによるマウス３００の移動操作により、電子書籍のウィンドウ内の行Ｌ１に重なる位置に配置される。この状態において、マウス３００のホイールがユーザ操作により回転されると、ＣＰＵ２０は、マウス３００からの入力信号に基づいて、当該ホイールの回転操作の開始を検出し、しばらくしてから、当該ホイールの回転操作の終了を検出する。これにより、ＣＰＵ２０はマウス３００のホイール回転を検出する検出部２２として機能する。ＣＰＵ２０によりマウス３００のホイール回転が検出されると、ＣＰＵ２０による処理はステップＳ６に移行する。
【００５３】
ステップＳ６では、ＣＰＵ２０は、マウス３００からの入力信号に基づいて、スクロール操作の開始位置Ｙ２を検出する。具体的には、ＣＰＵ２０は、マウス３００からの入力信号に基づいて、マウスポインタＭＰが電子書籍のウィンドウ内に配置された状態で、マウス３００のホイールが回転したことを検出すると、そのときの表示部２内でマウスポインタＭＰが表示された位置のＸＹ座標を検出する。これにより、ＣＰＵ２０は検出部２２として機能する。続けて、ＣＰＵ２０は、ステップＳ７の処理を実行する。
【００５４】
ステップＳ７の処理は、第１実施形態と同様である。図１４は、ステップＳ７の処理を終えたときの、電子書籍のウィンドウ内の表示である。ステップＳ７の識別表示を行ったときには、表示内容はまだスクロールされていないので、第１実施形態と同様、図１４は、図１３と比べると、目印Ｍ１が行Ｌ１の両端部分に追加された点だけが異なる。これにより、ＣＰＵ２０は表示制御部２１として機能する。
【００５５】
ステップＳ８では、ＣＰＵ２０は表示部２を制御して、図１５に示すようにスクロール操作の終了位置Ｙ３まで行Ｌ１及び目印Ｍ１が移動するように表示内容をスクロールさせる。終了位置Ｙ３は、ホイール回転操作における回転量や回転スピード等に応じて適宜決定される位置である。また、表示制御部２１は、スクロール操作に基づいて、表示部２に表示させたウィンドウ内で表示内容を上下に移動させるが、マウスポインタＭＰの位置は図１４のままとし、移動させない。
【００５６】
第１実施形態と同様、この識別表示は、スクロール操作の開始位置Ｙ２の表示内容に対する相対位置に対応する位置に施されるので、目印Ｍ１の表示内容に対する相対位置は変わらない。従って、目印Ｍ１は、表示内容のスクロール終了後も、行Ｌ１の両端部分に表示される。これにより、ＣＰＵ２０は表示制御部２１として機能する。なお、第２実施形態において、表示内容のスクロールとは、ＣＰＵ２０がホイール回転操作の開始を検出後、当該ホイール回転操作に基づいて、ホイール回転操作開始前に表示部２に表示されていた表示内容を、表示更新のタイミングにおけるホイール回転量に対応する量だけ、既定のスクロール方向（上下方向）へずらして、表示部２に更新表示させることである。この更新表示は、ＣＰＵ２０がホイール回転操作の開始を検出後、任意のタイミングで行われてよい。従って、ＣＰＵ２０は、ホイール回転操作の終了時又は終了後に表示更新することで、表示内容のスクロールを行ってもよいし、ホイール回転操作の途中に表示更新することで、表示内容のスクロールを行ってもよい。
ステップＳ９及びステップＳ１０の処理は、上述の実施形態と同様である。
ＣＰＵ２０は、以上に述べた各ステップを実行して、表示部２を制御することにより、表示制御部２１として機能する。
【００５７】
本第２実施形態では、上述の実施形態と同様、図１３に示すように、表示部２には、文字列内の位置を示すマーク、所謂文字カーソルは表示されないが、必要があれば、そのような文字カーソルが表示されていてもよい。また、文字カーソルが表示されている場合において、開始位置Ｙ２とは、スクロール操作の度に、当該文字カーソルの表示位置とは無関係にユーザが任意で指定する位置である。
【００５８】
また、本第２実施形態では、表示部２の表示画面における電子書籍コンテンツデータ８２１のウィンドウ内にマウスポインタＭＰを配置させた状態で、マウス３００のホイールを一方向へ回転させることにより、当該電子書籍コンテンツデータ８２１が表示領域内において進行されるとともに、他方向へ回転させることにより、当該電子書籍コンテンツデータ８２１が表示領域内において後退されるようにしてよい。
【００５９】
また、本第２実施形態でも、上述の実施形態と同様、図１６に示すように、ＣＰＵ２０は表示制御部２１として表示部２を制御して、表示内容のスクロールの終了後に、スクロール操作の開始位置Ｙ２の表示部２に対する相対位置に対応する位置に識別表示を施してもよい。具体的には、図１６に示すように、表示内容のスクロールの終了後に、開始位置Ｙ２に表示された文章の行Ｌ２の両端部分に、当該行Ｌ２を目立たせる目印（第２識別表示）Ｍ３を付加してよい。この目印Ｍ３は、前述の目印Ｍ１と同じ形態であってもよいし、異なる形態であってもよい。
【００６０】
本第２実施形態でも、上述の第１実施形態と同様の構成を備える場合には、同様の効果が得られることが言うまでもなく、さらには、前述したような各変形例を適用可能であることは言うまでもない。
【００６１】
以上、本発明のいくつかの実施形態を説明したが、本発明の範囲は、上述の実施の形態に限定するものではなく、特許請求の範囲に記載された発明の範囲をその均等の範囲を含む。
【００６２】
［付記１］
表示部と、
前記表示部に表示された表示内容のスクロールを指示する操作を検出する検出部と、
前記検出部により前記操作が検出されると、前記表示部に表示された表示内容をスクロールさせる表示制御部と、を備え、
前記表示制御部は、前記操作の開始位置の前記表示内容に対する相対位置に対応する位置に、第１識別表示を行うことを特徴とする表示装置。
［付記２］
付記１記載の表示装置において、
前記検出部は、前記操作の開始位置を検出し、
前記表示制御部は、前記検出部により検出された前記操作の開始位置に基づいて、前記第１識別表示を行うことを特徴とする表示装置。
［付記３］
付記１又は２記載の表示装置において、
前記表示制御部は、前記表示内容のスクロールの開始後に、前記第１識別表示を行うことを特徴とする表示装置。
［付記４］
付記１〜３のいずれか一項に記載の表示装置において、
前記表示制御部は、前記表示内容のスクロールの終了後に、前記第１識別表示を行うことを特徴とする表示装置。
［付記５］
付記１〜４のいずれか一項に記載の表示装置において、
前記表示制御部は、前記表示内容のスクロールの開始前に、前記第１識別表示を行うことを特徴とする表示装置。
［付記６］
付記１〜５のいずれか一項に記載の表示装置において、
前記表示制御部は、前記表示内容のスクロールの開始前と、スクロールの終了後とに、前記第１識別表示を行うことを特徴とする表示装置。
［付記７］
付記１〜６のいずれか一項に記載の表示装置において、
前記表示制御部は、前記表示内容のスクロールの終了後に、前記操作の開始位置の前記表示部に対する相対位置に対応する位置に、第２識別表示を行うことを特徴とする表示装置。
［付記８］
付記１〜７のいずれか一項に記載の表示装置において、
前記表示制御部は、前記表示部に文章が表示された場合、前記操作の開始位置の前記表示内容に対する相対位置に対応する前記文章中の行に、前記第１識別表示を行うことを特徴とする表示装置。
［付記９］
付記８記載の表示装置において、
前記表示制御部は、前記第１識別表示として、
前記文章中の前記行の両端の少なくとも一方に目印を付加する、
前記文章中の前記行に含まれる文字列の文字色と背景色とのコントラストを変更する、及び、
前記文章中の前記行よりも前段部分の文字色と背景色とのコントラストを、当該行以降の後段部分の文字色と背景色のコントラストと異なるように変更する、のうちの少なくとも一つを行うことを特徴とする表示装置。
［付記１０］
付記１〜９のいずれか一項に記載の表示装置において、
前記表示制御部は、識別表示を開始してから予め定めた時間が経過したこと又は予め定めた操作が入力されたことを前記検出部により検出した場合に、前記識別表示を非表示にすることを特徴とする表示装置。
［付記１１］
以下を備える表示方法：
表示部に表示された表示内容のスクロールを指示する操作を検出し、
前記検出により前記操作が検出されると、前記表示部に表示された表示内容をスクロールさせる表示制御を行い、
前記表示制御は、前記操作の開始位置の前記表示内容に対する相対位置に対応する位置に、第１識別表示を行うことを含むことを特徴とする表示方法。
［付記１２］
付記１１記載の表示方法において、
前記検出は、前記操作の開始位置を検出することを含み、
前記表示制御は、前記検出部により検出された前記操作の開始位置に基づいて、前記第１識別表示を行うことを含むことを特徴とする表示方法。
［付記１３］
付記１１又は１２記載の表示方法において、
前記表示制御は、前記表示内容のスクロールの開始後に、前記第１識別表示を行うことを含むことを特徴とする表示方法。
［付記１４］
付記１１〜１３のいずれか一項に記載の表示方法において、
前記表示制御は、前記表示内容のスクロールの終了後に、前記第１識別表示を行うことを含むことを特徴とする表示方法。
［付記１５］
付記１１〜１４のいずれか一項に記載の表示方法において、
前記表示制御は、前記表示内容のスクロールの開始前に、前記第１識別表示を行うことを含むことを特徴とする表示方法。
［付記１６］
付記１１〜１５のいずれか一項に記載の表示方法において、
前記表示制御は、前記表示内容のスクロールの開始前と、スクロールの終了後とに、前記第１識別表示を行うことを含むことを特徴とする表示方法。
［付記１７］
付記１１〜１６のいずれか一項に記載の表示方法において、
前記表示制御は、前記表示内容のスクロールの終了後に、前記操作の開始位置の前記表示部に対する相対位置に対応する位置に、第２識別表示を行うことを含むことを特徴とする表示方法。
［付記１８］
付記１１〜１７のいずれか一項に記載の表示方法において、
前記表示制御は、前記表示部に文章が表示された場合、前記操作の開始位置の前記表示内容に対する相対位置に対応する前記文章中の行に、前記第１識別表示を行うことを含むことを特徴とする表示方法。
［付記１９］
付記１８記載の表示方法において、
前記表示制御は、前記第１識別表示として、
前記文章中の前記行の両端の少なくとも一方に目印を付加する、
前記文章中の前記行に含まれる文字列の文字色と背景色とのコントラストを変更する、及び、
前記文章中の前記行よりも前段部分の文字色と背景色とのコントラストを、当該行以降の後段部分の文字色と背景色のコントラストと異なるように変更する、のうちの少なくとも一つを行うことを含むことを特徴とする表示方法。
［付記２０］
付記１１〜１９のいずれか一項に記載の表示方法において、
前記表示制御は、識別表示を開始してから予め定めた時間が経過したこと又は予め定めた操作が入力されたことを前記検出部により検出した場合に、前記識別表示を非表示にすることを含むことを特徴とする表示方法。
［付記２１］
表示部を含む表示装置の制御部に、
前記表示部に表示された表示内容のスクロールを指示する操作を検出させ、
前記検出により前記操作が検出されると、前記表示部に表示された表示内容をスクロールさせる表示制御を行わせることを実行させ、
前記表示制御は、前記操作の開始位置の前記表示内容に対する相対位置に対応する位置に、第１識別表示を行わせることを含むことを特徴とする表示プログラム。
【符号の説明】
【００６３】
１…電子書籍リーダー（表示装置）、２…表示部、３…タッチパネル、４…キー群、１０…パソコン（表示装置）、２０…ＣＰＵ、２１…表示制御部、２２…検出部、３０…入力部、６０…記録媒体読取部、８０…記憶部、９０…通信部、３００…マウス、Ｍ１…目印（第１識別表示）、Ｍ２…目印（第１識別表示）、Ｍ３…目印（第２識別表示）
【図１】
2017182072.tif 000003
【図２】
2017182072.tif 000004
【図３】
2017182072.tif 000005
【図４】
2017182072.tif 000006
【図５】
2017182072.tif 000007
【図６】
2017182072.tif 000008
【図７】
2017182072.tif 000009
【図８】
2017182072.tif 000010
【図９】
2017182072.tif 000011
【図１０】
2017182072.tif 000012
【図１１】
2017182072.tif 000013
【図１２】
2017182072.tif 000014
【図１３】
2017182072.tif 000015
【図１４】
2017182072.tif 000016
【図１５】
2017182072.tif 000017
【図１６】
2017182072.tif 000018
【手続補正書】
【提出日】平成29年5月24日(2017.5.24)
【手続補正１】
【補正対象書類名】明細書
【補正対象項目名】０００６
【補正方法】変更
【補正の内容】
【０００６】
本発明の表示装置は、表示部上でスライド操作またはフリック操作が行われた場合に、前記スライド操作または前記フリック操作の開始位置と、前記スライド操作のスライド量または前記フリック操作の速度とを検出し、前記表示部に表示された表示内容を、前記検出された前記スライド操作のスライド量または前記フリック操作の速度に応じた量だけ表示位置を変えてスクロールさせ、前記検出された前記開始位置に基づいて、前記スクロールの開始前において前記スライド操作または前記フリック操作の開始位置に表示されていた表示内容が、前記スクロールの終了後に移動した位置を示す第１識別表示を行う表示制御を実行することを特徴とする。
【手続補正２】
【補正対象書類名】明細書
【補正対象項目名】０００７
【補正方法】変更
【補正の内容】
【０００７】
本発明の表示方法は、表示部上でスライド操作またはフリック操作が行われた場合に、前記スライド操作または前記フリック操作の開始位置と、前記スライド操作のスライド量または前記フリック操作の速度とを検出し、前記表示部に表示された表示内容を、前記検出された前記スライド操作のスライド量または前記フリック操作の速度に応じた量だけ表示位置を変えてスクロールさせ、前記検出された前記開始位置に基づいて、前記スクロールの開始前において前記スライド操作または前記フリック操作の開始位置に表示されていた表示内容が、前記スクロールの終了後に移動した位置を示す第１識別表示を行う表示制御を実行することを特徴とする。
【手続補正３】
【補正対象書類名】明細書
【補正対象項目名】０００８
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
表示部上でスライド操作またはフリック操作が行われた場合に、前記スライド操作または前記フリック操作の開始位置と、前記スライド操作のスライド量または前記フリック操作の速度とを検出し、
前記表示部に表示された表示内容を、前記検出された前記スライド操作のスライド量または前記フリック操作の速度に応じた量だけ表示位置を変えてスクロールさせ、
前記検出された前記開始位置に基づいて、前記スクロールの開始前において前記スライド操作または前記フリック操作の開始位置に表示されていた表示内容が、前記スクロールの終了後に移動した位置を示す第１識別表示を行う
表示制御を実行することを特徴とする表示制御装置。
【請求項２】
前記表示部は、入力表示面を有し、前記入力表示面への接触による操作を受け付け、
前記表示制御において、
前記表示部の前記入力表示面への接触開始に対応するタッチオン操作と、前記スライド操作と、前記スライド操作後の前記入力表示面への接触終了に対応するタッチオフ操作とを含むスクロール操作を検出し、
前記スライド操作は、前記タッチオン操作が行われた位置から前記入力表示面が接触されながらその接触位置が前記入力表示面上を移動する操作であり、
前記スクロール操作が検出されると、前記スライド操作が終了した状態で、前記表示部の前記タッチオン操作が行われた位置に対応する位置にそのタッチオン操作時に表示していた内容を、前記タッチオフ操作が行われた位置に対応する位置に表示するとともに、前記第１識別表示として、前記タッチオフ操作が行われた位置に対応する位置に目印の表示を行う
ことを特徴とする請求項１に記載の表示制御装置。
【請求項３】
前記表示制御において、
前記スクロール操作が検出されると、前記スライド操作中は前記表示部の表示を更新せずに、前記スライド操作の終了時以降に、前記表示部の前記タッチオン操作が行われた位置に対応する位置にそのタッチオン操作時に表示していた内容を、前記タッチオフ操作が行われた位置に対応する位置に表示する
ことを特徴とする請求項２に記載の表示制御装置。
【請求項４】
前記表示制御において、
前記スクロールの終了後に、前記開始位置に表示されていた表示内容が前記スクロールの終了後に移動した位置を示す第１識別表示を行うとともに、前記開始位置に対応する前記表示部上の位置を示す第２識別表示を行う
ことを特徴とする請求項１乃至３のいずれかに記載の表示制御装置。
【請求項５】
前記スクロールが終了した後、ユーザーの操作を検出しなくとも、時間の経過に応じて自動的に前記第１識別表示を非表示にする
ことを特徴とする請求項１乃至４のいずれかに記載の表示制御装置。
【請求項６】
前記表示部に文章が表示された場合、前記スクロールが終了した状態で、前記開始位置に表示されていた前記表示内容に対応する前記文章中の行に前記第１識別表示を行い、前記文章中の前記行よりも前段部分の文字色と背景色とのコントラストを、前記行以降の後段部分の文字色と背景色のコントラストと異なるように変更する
ことを特徴とする請求項１乃至５のいずれかに記載の表示制御装置。
【請求項７】
表示部に表示される文章の文字色と背景色とのコントラストを設定するコントラスト設定手段と、
スクロールの指示に応じて前記表示部に表示された文章をスクロールさせるスクロール手段と、
前記スクロールが終了した状態で、前記スクロールの開始前から前記表示部に表示されていた文章の少なくとも一部に対する前記コントラストと、前記スクロールによって前記表示部に新たに表示された文章の少なくとも一部に対する前記コントラストとを、異なるコントラストに設定するコントラスト制御手段と、
を備えたことを特徴とする表示制御装置。
【請求項８】
前記スクロール手段は、前記表示部上でスライド操作またはフリック操作が行われた場合に、前記表示部に表示された文章をスクロールさせ、
前記コントラスト制御手段は、前記スライド操作または前記フリック操作の開始位置に表示されていた前記文章中の行を特定し、前記スクロールが終了した状態で、前記特定された行よりも前段部分の文章に対する前記コントラストと、前記特定された行よりも後段部分の文章に対するコントラストとを異なるコントラストに設定する
ことを特徴とする請求項７に記載の表示制御装置。
【請求項９】
表示部上でスライド操作またはフリック操作が行われた場合に、前記スライド操作または前記フリック操作の開始位置と、前記スライド操作のスライド量または前記フリック操作の速度とを検出し、
前記表示部に表示された表示内容を、前記検出された前記スライド操作のスライド量または前記フリック操作の速度に応じた量だけ表示位置を変えてスクロールさせ、
前記検出された前記開始位置に基づいて、前記スクロールの開始前において前記スライド操作または前記フリック操作の開始位置に表示されていた表示内容が、前記スクロールの終了後に移動した位置を示す第１識別表示を行う
表示制御を実行することを特徴とする表示制御方法。
【請求項１０】
表示部に表示される文章の文字色と背景色とのコントラストを設定するコントラスト設定処理と、
スクロールの指示に応じて前記表示部に表示された文章をスクロールさせるスクロール処理と、
前記スクロールが終了した状態で、前記スクロールの開始前から前記表示部に表示されていた文章の少なくとも一部に対する前記コントラストと、前記スクロールによって前記表示部に新たに表示された文章の少なくとも一部に対する前記コントラストとを、異なるコントラストに設定するコントラスト制御処理と、
を有することを特徴とする表示制御方法。
【請求項１１】
コンピュータに、
請求項９または１０に記載の表示制御方法を実行させることを特徴とするプログラム。